(57)【要約】【課題】室内外を完全に遮光隠蔽することの出来るロールスクリーン連設装置を提供する。【解決手段】基材１１に突設された２個のアーム１２・１３に両端が可回転に水平に軸支された回転支軸１４にカーテン地１５を巻き付けて成る複数基のロールスクリーン１６・１６……を、それらの回転支軸を平行にして水平方向に配列する。その配列において隣合う回転支軸の軸芯１７と軸芯１７を、それらの軸芯に直交する方向において離隔する。その隣合う回転支軸の端末と端末を、それらの軸芯に直交する方向において重なり合わせる。その隣合う回転支軸から吊り降ろされて隣合うカーテン地の側縁１８とカーテン地の側縁１８を、それらの回転支軸に直交する水平方向において重なり合わせる。【選択図】図３
2005068828.tif 000002
【特許請求の範囲】
【請求項１】
（ａ）  基材（１１）に突設された２個のアーム（１２・１３）に両端が可回転に水平に軸支された回転支軸（１４）にカーテン地（１５）を巻き付けて成る複数基のロールスクリーン（１６・１６……）が、それらの回転支軸（１４・１４………）を平行にして水平方向に配列されており、（ｂ）  その配列において隣合う回転支軸の軸芯（１７）と回転支軸の軸芯（１７）が、それらの軸芯（１７・１７）に直交する方向において離れており、
（ｃ）  それらの隣合う回転支軸（１４）の端末と回転支軸（１４）の端末が、それらの軸芯（１７・１７）に直交する方向において重なり合っており、
（ｄ）  それらの隣合う回転支軸（１４・１４）から吊り降ろされて隣合うカーテン地の側縁（１８）とカーテン地の側縁（１８）が、それらの回転支軸（１４・１４）に直交する水平方向において重なり合っているロールスクリーン連設装置。
【請求項２】
（ｅ）  配列されて隣合う回転支軸の軸芯（１７）と回転支軸の軸芯（１７）が鉛直方向において上下重なり合っており、
（ｆ）  それらの隣合う回転支軸に巻き込まれて隣合うカーテン地（１５）とカーテン地（１５）それぞれの回転支軸（１４・１４）への巻き込み方向が互いに同方向である前掲請求項１に記載のロールスクリーン連設装置。
【請求項３】
（ｇ）  配列されて隣合う回転支軸の軸芯（１７）と回転支軸の軸芯（１７）が水平方向において重なり合っており、
（ｈ）  それらの隣合う回転支軸に巻き込まれて隣合うカーテン地（１５）とカーテン地（１５）それぞれの回転支軸（１４・１４）への巻き込み方向が互いに逆方向である前掲請求項１に記載のロールスクリーン連設装置。
【請求項４】
２個のアーム（１２・１３）が所要の距離（Ｌ）をおいて連結板（１９）の両端部から互いに逆向きに直立しており、その逆向きに直立している少なくとも何れか１個のアーム（１２・１３）から直角に折れ曲がった舌片（２０）が突き出ており、その舌片（２０）に釘孔（２１）が開けられており、その２個のアーム（１２・１３）の間の距離（Ｌ）が１０ｃｍ以下である連結用ブラケット（２２）を介して、配列されて隣合う回転支軸（１４・１４）が、その一方の回転支軸（１４）の端末が一方のアーム（１２）で軸支され、その他方の回転支軸（１４）の端末が他方のアーム（１３）で軸支されて連結されている前掲請求項１、請求項２および請求項３に記載のロールスクリーン連設装置。
【発明の詳細な説明】
【技術分野】
【０００１】
本発明は、基材に突設された２個のアームに可回転に軸支された回転支軸にカーテン地を巻き付けて成るロールスクリーンに関するものである。
【背景技術】
【０００２】
壁面や窓枠等に水平方向に並べて取り付けられて隣合う２基のロールスクリーンの隣合うカーテン地とカーテン地の間に生じる隙間を少なくするために、その隣合うロールスクリーンの回転支軸の端と回転支軸の端を突き合わせて１個のアームで軸支して連結し、その連結しているアームの厚み（水平方向におけるアームの寸法）を可能な限り薄くすると共に、それらの回転支軸に巻き付けられるカーテン地の側縁をアームに可能な限り接近させることは公知である（例えば、特許文献１と特許文献２）。
【特許文献１】実公平６−１７９９５号公報（実開昭６３−９８９９０）（実用新案登録請求の範囲、考案の効果の欄）。
【特許文献２】実公昭６２−２９５９３号公報（実開昭６２−２９５９３）（実用新案登録請求の範囲、第１図）。
【発明の開示】
【発明が解決しようとする課題】
【０００３】
隣合う２本の回転支軸が共通にするアームを如何に薄くするとしても、アームが介在している限り隣合うカーテン地の側縁とカーテン地の側縁の間の隙間を完全に塞ぐことは出来ず、その間には少なくともアームの厚みに応じた隙間が出来、その連設する複数基のロールスクリーンによって室内外を完全に遮光隠蔽することは出来ない。
【０００４】
そこで本発明は、室内外の完全遮光隠蔽が可能なロールスクリーン連設装置を得ることを目的とする。
【課題を解決するための手段】
【０００５】
本発明に係るロールスクリーン連設装置は、（ａ）  基材１１に突設された２個のアーム１２・１３に両端が可回転に水平に軸支された回転支軸１４にカーテン地１５を巻き付けて成る複数基のロールスクリーン１６・１６……が、それらの回転支軸１４・１４………を平行にして水平方向に配列されており、（ｂ）  その配列において隣合う回転支軸の軸芯１７と回転支軸の軸芯１７が、それらの軸芯１７・１７に直交する方向において離れており、（ｃ）  それらの隣合う回転支軸１４の端末と回転支軸１４の端末が、それらの軸芯１７・１７に直交する方向において重なり合っており、（ｄ）  それらの隣合う回転支軸１４・１４から吊り降ろされて隣合うカーテン地の側縁１８とカーテン地の側縁１８が、それらの回転支軸１４・１４に直交する水平方向において重なり合っていることを第１の特徴とする。
【０００６】
本発明に係るロールスクリーン連設装置の第２の特徴は、上記第１の特徴に加えて、（ｅ）  配列されて隣合う回転支軸の軸芯１７と回転支軸の軸芯１７が鉛直方向において上下重なり合っており、（ｆ）  それらの隣合う回転支軸に巻き込まれて隣合うカーテン地１５とカーテン地１５のそれぞれの回転支軸１４・１４への巻き込み方向を互いに同方向にしたことにある。
【０００７】
本発明に係るロールスクリーン連設装置の第３の特徴は、上記第１の特徴に加えて、（ｇ）  配列されて隣合う回転支軸の軸芯１７と回転支軸の軸芯１７が水平方向において重なり合っており、（ｈ）  それらの隣合う回転支軸に巻き込まれて隣合うカーテン地１５とカーテン地１５のそれぞれの回転支軸１４・１４への巻き込み方向を互いに逆方向にしたことにある。
【０００８】
本発明に係るロールスクリーン連設装置の第４の特徴は、上記第１、第２および第３の何れかの特徴に加えて、２個のアーム１２・１３が所要の距離Ｌをおいて連結板１９の両端部から互いに逆向きに直立しており、その逆向きに直立している少なくとも何れか１個のアーム（１２・１３）から直角に折れ曲がった舌片２０が突き出ており、その舌片２０に釘孔２１が開けられており、その２個のアーム１２・１３の間の距離Ｌが１０ｃｍ以下である連結用ブラケット２２を介して、配列されて隣合う回転支軸１４・１４が、その一方の回転支軸１４の端末が一方のアーム１２で軸支され、その他方の回転支軸１４の端末が他方のアーム１３で軸支されていることにある。
【発明の効果】
【０００９】
本発明（請求項１、２、３）によると、隣合うロールスクリーン１６・１６の回転支軸１４・１４から吊り降ろされて隣合うカーテン地の側縁部分（１８）と側縁部分（１８）が重なり合うので、ロールスクリーン１６・１６の接続箇所に隙間が出来ず、完全遮光隠蔽に適したロールスクリーン連設装置が得られる。
【００１０】
本発明（請求項４）によると、隣合うロールスクリーン１６・１６の回転支軸１４・１４の軸芯間の距離Ｓが一定に揃い、且つ、隣合うロールスクリーン１６・１６のカーテン地１５・１５の重なり代Ｗが一定に揃うのでロールスクリーン連設装置が端整な美観を呈するものとなる。
【発明を実施するための最良の形態】
【００１１】
基材１１から同じ方向に直角に突き出た２個のアーム１２・１３の間で軸支される回転支軸１４にカーテン地１５を巻き付けた市販のロールスクリーンを天井に取り付け、隣合う回転支軸の軸芯と軸芯を離し、その隣合う回転支軸の端末と端末が鉛直方向において上下に重なり、それらの回転支軸から吊り降ろされて隣合うカーテン地の側縁と側縁が水平方向において重なるようにするには、隣合う一方の基材１１にスペーサー２３を取り付け、そのスペーサー２３の高さ分Ｈだけ基材１１を他方の基材１１よりも低くするとよい（図１）。又、市販のロールスクリーンを壁面に取り付け、隣合う回転支軸の軸芯と軸芯を離し、その隣合う回転支軸の端末と端末が鉛直方向において上下に重なり、それらの回転支軸から吊り降ろされて隣合うカーテン地の側縁と側縁が水平方向において重なるようにするには、隣合う一方の基材１１を支持するブラケット２４の固定位置を他方の基材１１を支持するブラケット２４の固定位置よりも低くしてもよい（図２）。その場合、上側に位置するロールスクリーンのカーテン地が下側に位置するロールスクリーンの基材やアームに触れ合わないように、上側の回転支軸の位置と下側の回転支軸の位置を水平方向にずらし、又は、上側のロールスクリーンのアームとアームの間にカーテン地１５を突き出すガイド２５を架け渡す（図２）。
【００１２】
市販のロールスクリーンを使用し、隣合う回転支軸の軸芯と軸芯を離し、その隣合う回転支軸の端末と端末が水平方向において前後に重なり、それらの回転支軸から吊り降ろされて隣合うカーテン地の側縁と側縁が水平方向において重なるようにするには、隣合う一方のロールスクリーンの基材１１の天井やブラケットへの取付位置を、他方の取付位置に対して、回転支軸に巻き上げられたカーテン地１５の巻上太さに相当する分だけずらす（図３、４）。
【００１３】
このように本発明は、市販のロールスクリーンを使用して実施することが出来るが、その場合、スペーサー２３や基材１１或いはブラケット２３の位置ズレによって隣合う回転支軸１４・１４が平行に揃わず、その結果、隣合うカーテン地の側縁１８と側縁１８が平行にならず、それが鉛直線に対して傾斜してカーテン地１５に縦皺が生じたり、３基以上のロールスクリーンを連設する場合に隣合うカーテン地とカーテン地の重なり代Ｗが各隣合うカーテン地毎に区々になるなど、全体に美的不調和が生じ易い。そのような不都合を回避するには、図５〜６に図示するように、隣合う回転支軸１４・１４の取付位置を設定するための専用の連結用ブラケット２２を使用するとよい。
【００１４】
図５と図６に図示する連結用ブラケット２２は、連結板１９の両端からアーム１２・１３を互いに逆向きに直角に突出し、それらの各アーム１２・１３に回転支軸を嵌め込む軸孔２８を設け、その連結板１９の片側の側縁２７に続く各アーム１２・１３の側縁から外向きに直角に舌片２０・２０を突出し、その各アーム１２・１３の舌片２０・２０に天井や壁面等にビス止めするための釘孔２１を設けて構成されている。図５は、その連結用ブラケット２２の、隣合う回転支軸の軸芯と軸芯を離し、その隣合う回転支軸の端末と端末が水平方向において前後に重なり、それらの回転支軸から吊り降ろされて隣合うカーテン地の側縁と側縁が水平方向において重なるように、隣合う回転支軸１４・１４を軸支するために天井に取り付けられた状態（天付け）を図示する。図６は、その連結用ブラケット２２の、隣合う回転支軸の軸芯と軸芯を離し、その隣合う回転支軸の端末と端末が鉛直方向において上下に重なり、それらの回転支軸から吊り降ろされて隣合うカーテン地の側縁と側縁が水平方向において重なるように、隣合う回転支軸１４・１４を軸支するために壁面に取り付けられた状態（正面付け）を図示する。
【００１５】
図７に図示する連結用ブラケット２２は、連結板１９の両端からアーム１２・１３を互いに逆向きに直角に突出し、それらの各アーム１２・１３に回転支軸を嵌め込む軸孔２８を設け、その片側のアーム１２の先端を連結板１９に逆向きとなる外側に直角に舌片２０を突出し、その舌片２０に天井や壁面等にビス止めするための釘孔２１を設けて構成されている。図７は、その連結用ブラケット２２の、隣合う回転支軸の軸芯と軸芯を離し、その隣合う回転支軸の端末と端末が水平方向において前後に重なり、それらの回転支軸から吊り降ろされて隣合うカーテン地の側縁と側縁が水平方向において重なるように、隣合う回転支軸１４・１４を軸支するために天井に取り付けられた状態（天付け）を図示する。図７に図示する連結用ブラケット２２を、その舌片２０を壁面にビス止めして固定すると、隣合う回転支軸の軸芯と軸芯を離し、その隣合う回転支軸の端末と端末が鉛直方向において上下に重なり、それらの回転支軸から吊り降ろされて隣合うカーテン地の側縁と側縁が水平方向において重なるように、ロールスクリーン連設装置の正面付けが出来る。
【００１６】
これらの連結用ブラケット２２を使用するときは、隣合う回転支軸１４・１４の軸芯間の距離Ｓが２個のアーム１２・１３の軸孔２８・２８の位置によって一定に揃えられ、隣合うカーテン地の側縁１８と側縁１８の重なり代Ｗが２個のアーム間の距離、即ち、連結板の長さＬによって一定に揃えられる。
【図面の簡単な説明】
【００１７】
【図１】本発明に係るロールスクリーン連設装置の斜視図である。
【図２】本発明に係るロールスクリーン連設装置の断面側面図である。
【図３】本発明に係るロールスクリーン連設装置の斜視図である。
【図４】本発明に係るロールスクリーン連設装置の断面側面図である。
【図５】本発明に係るロールスクリーン連設装置の回転支軸連結用ブラケットの斜視図である。
【図６】本発明に係るロールスクリーン連設装置の回転支軸連結用ブラケットの斜視図である。
【図７】本発明に係るロールスクリーン連設装置の回転支軸連結用ブラケットの斜視図である。
【符号の説明】
【００１８】
１１：基材
１２・１３：アーム
１４：回転支軸
１５：カーテン地
１６：ロールスクリーン
１７：軸芯
１８：側縁
１９：連結板
２０：舌片
２１：釘孔
２２：連結用ブラケット
２３：スペーサー
２４：ブラケット
２５：ガイド
２６：連結板の平面
２７：連結板の側縁
２８：軸孔
Ｌ：アーム間の距離
Ｈ：スペーサーの高さ
Ｗ：重なり代
Ｓ：軸芯間の距離
【図１】
2005068828.tif 000003
【図２】
2005068828.tif 000004
【図３】
2005068828.tif 000005
【図４】
2005068828.tif 000006
【図５】
2005068828.tif 000007
【図６】
2005068828.tif 000008
【図７】
2005068828.tif 000009